【手続補正書】
【提出日】平成28年6月17日(2016.6.17)
【手続補正１】
【補正対象書類名】明細書
【補正対象項目名】０００７
【補正方法】変更
【補正の内容】
【０００７】
上記目的を達成するために本発明の焦点検出装置は、撮像手段から出力される、撮影光学系の異なる瞳領域を通過した光束により形成される被写体の一対の像信号それぞれに含まれる異常信号を検出する検出手段と、前記一対の像信号それぞれから、前記検出手段により検出された異常信号と他方の像信号に含まれる異常信号に対応する像信号と、を含む像信号を除外し、該除外した後の前記一対の像信号を相対的にシフトしながら異なるシフト量での相関量を演算する演算手段とを有し、前記演算手段は、第１のシフト量でシフトした前記一対の像信号と、前記第１のシフト量と異なる第２のシフト量でシフトした前記一対の像信号それぞれについて、等しい数の像信号を除外して相関量を演算する。
【手続補正２】
【補正対象書類名】明細書
【補正対象項目名】００４１
【補正方法】変更
【補正の内容】
【００４１】
Ｓ３３では、Ｓ３２で飽和画素と判定された画素位置をＲＡＭに記憶する。Ｓ３４では、ｋがＦ+２以上か否かの判定を行い、Ｆ+２以上であればＳ３６へ移行する。つまり、ここでは４つのシフト量のシフト波形について飽和画素の検知処理を行った場合に次のＳ３６へ移行する。一方、Ｆ+２よりも小さければ、飽和画素を検知すべきシフト波形が残っているので、Ｓ３５で、シフト量ｋ＝ｋ＋１を設定し、次のシフト量のシフト波形について検知処理を行う。
【手続補正３】
【補正対象書類名】明細書
【補正対象項目名】００４７
【補正方法】変更
【補正の内容】
【００４７】
また、第２相関演算における相関量Ｃは、相関演算式（１）で示したように、各画素の対になっている像信号の差分を総和した値である。飽和画素のみ、または、飽和画素及び飽和画素と対になる画素のみを除外すると、シフト波形毎に演算画素数が異なり、総和する画素数が異なるため、位相差を示すそれぞれの相関量の基準が異なってしまい、正しい演算結果を求めることができない。
【手続補正４】
【補正対象書類名】明細書
【補正対象項目名】００５５
【補正方法】変更
【補正の内容】
【００５５】
図１３は第２の実施形態におけるイメージセンサ１０１の概略構成を示す回路図である。図１３では２次元ＣＭＯＳエリアセンサの２列×４行画素の範囲を示しているが、実際には、図１３に示した画素を多数配置し、高解像度画像の取得を可能としている。ここでは、画素ピッチが２μm、有効画素数が横３０００列×縦２０００行＝６００万画素、撮像画面サイズが横６ｍｍ×縦４ｍｍのデジタルスチルカメラ用イメージセンサとして説明を行う。
【手続補正５】
【補正対象書類名】明細書
【補正対象項目名】００７７
【補正方法】変更
【補正の内容】
【００７７】
図１９から図２３は、図１６〜図１８で説明した撮像用画素と焦点検出用画素の配置規則を説明する図である。図１９は撮像用画素の間に焦点検出用画素を離散的に配置する場合の、最小単位の配置規則を説明するための図である。図１９において、１０行×１０列＝１００画素をひとつのブロックと定義する。そして一番左上のブロックＢＬＫ（ｉ，ｊ）＝ＢＬＫ（１，１）とし、下方向と右方向を正とする。そして、ブロックＢＬＫ（１，１）において、一番左下のＲ画素とＢ画素を、水平方向に瞳分割を行う１組の焦点検出用画素ＳＨＡ及びＳＨＢで置き換える。
【手続補正６】
【補正対象書類名】特許請求の範囲
【補正対象項目名】全文
【補正方法】変更
【補正の内容】
【特許請求の範囲】
【請求項１】
撮像手段から出力される、撮影光学系の異なる瞳領域を通過した光束により形成される被写体の一対の像信号それぞれに含まれる異常信号を検出する検出手段と、
前記一対の像信号それぞれから、前記検出手段により検出された異常信号と他方の像信号に含まれる異常信号に対応する像信号と、を含む像信号を除外し、該除外した後の前記一対の像信号を相対的にシフトしながら異なるシフト量での相関量を演算する演算手段とを有し、
前記演算手段は、第１のシフト量でシフトした前記一対の像信号と、前記第１のシフト量と異なる第２のシフト量でシフトした前記一対の像信号それぞれについて、等しい数の像信号を除外して相関量を演算することを特徴とする焦点検出装置。
【請求項２】
前記演算手段は、前記検出手段による異常信号の検出に先立って、前記一対の像信号をシフトしながら求めた相関量に基づいて、相関が最も高くなるシフト量を求める前処理を行い、
前記検出手段は、前記前処理で求めた前記相関が最も高くなるシフト量を挟んで、予め決められた数の異なるシフト量での前記異常信号の位置を検出し、
前記演算手段は、前記除外した後の前記一対の像信号を用いて前記相関量を求める際に、前記予め決められた数の異なるシフト量での相関量を求める
ことを特徴とする請求項１に記載の焦点検出装置。
【請求項３】
前記演算手段は、前記一対の像信号それぞれの前記異常信号と、他方の像信号に含まれる異常信号に対応する像信号と、その近傍の正常な信号とを除外することを特徴とする請求項１または２に記載の焦点検出装置。
【請求項４】
前記演算手段は、前記第１のシフト量において第１の位置に前記異常信号が存在する場合、前記第２のシフト量においても前記第１の位置に対応する像信号を前記一対の像信号から除外することを特徴とする請求項１乃至３のいずれか１項に記載の焦点検出装置。
【請求項５】
前記演算手段は、前記除外した後の前記一対の像信号を用いて前記相関量を求める際に、少なくとも１つのシフト量で前記異常信号が存在する位置の像信号を除外して、前記相関量を求めることを特徴とする請求項１乃至３のいずれか１項に記載の焦点検出装置。
【請求項６】
前記撮像手段は、前記撮影光学系の異なる瞳領域を通過した光束をそれぞれ受光する一対のラインセンサを備えて構成されることを特徴とする請求項１乃至５のいずれか１項に記載の焦点検出装置。
【請求項７】
請求項１乃至６のいずれか１項に記載の焦点検出装置と、
前記撮影光学系を介して入射する光束を光電変換して、被写体の像信号を出力する撮像手段と
を有することを特徴とする撮像装置。
【請求項８】
前記撮像手段は２次元に配置された複数の画素を有し、少なくとも前記複数の画素の一部を、前記撮影光学系の異なる瞳領域を通過した光束をそれぞれ受光して得られた一対の像信号を出力する焦点検出用画素として構成し、
前記検出手段及び前記演算手段は、前記焦点検出用画素から出力された一対の像信号を、前記撮像手段から出力される像信号として用いることを特徴とする請求項７に記載の撮像装置。
【請求項９】
撮像手段から出力される、撮影光学系の異なる瞳領域を通過した光束により形成される被写体の一対の像信号それぞれに含まれる異常信号を検出する検出工程と、
前記一対の像信号それぞれから、前記検出手段により検出された異常信号と他方の像信号に含まれる異常信号に対応する像信号と、を含む像信号を除外する除外工程と、
該除外した後の前記一対の像信号を相対的にシフトしながら異なるシフト量での相関量を演算する演算工程とを有し、
前記除外工程では、第１のシフト量でシフトした前記一対の像信号と、前記第１のシフト量と異なる第２のシフト量でシフトした前記一対の像信号それぞれについて、等しい数の像信号を除外することを特徴とする焦点検出方法。
【手続補正７】
【補正対象書類名】図面
【補正対象項目名】図１０
【補正方法】変更
【補正の内容】
【図１０】
2014197161.tif 000001
【手続補正８】
【補正対象書類名】図面
【補正対象項目名】図１４
【補正方法】変更
【補正の内容】
【図１４】
2014197161.tif 000002